(57)【要約】【課題】構造が簡略化された偏光顕微鏡を提供する。【解決手段】偏光子７は、可視光源３から試料までの光路上に配置され、可視光源３からの光を透過させることにより、偏光面が第１の方向に沿った直線偏光を生成する。検光子８は、試料に照射された後の光の光路上に配置され、偏光面が第２の方向に沿った直線偏光を透過させる。回転機構９は、検光子８を回転移動させることにより、第１の方向及び第２の方向が直交する直交状態と、第１の方向及び第２の方向が平行に延びる平行状態と、光路上に検光子８がない退避状態との間で遷移させることができる。【選択図】  図１
2019219681.tif 000002
【特許請求の範囲】
【請求項１】
試料に向けて光を照射する光源と、
前記光源から試料までの光路上に配置され、前記光源からの光を透過させることにより、偏光面が第１の方向に沿った直線偏光を生成する偏光子と、
試料に照射された後の光の光路上に配置され、偏光面が第２の方向に沿った直線偏光を透過させる検光子と、
前記偏光子及び前記検光子を相対的に移動させることにより、前記第１の方向及び前記第２の方向が直交する直交状態と、前記第１の方向及び前記第２の方向が平行に延びる平行状態と、光路上に前記偏光子又は前記検光子がない退避状態との間で遷移させることができる移動機構とを備えることを特徴とする偏光顕微鏡。
【請求項２】
前記移動機構は、回転軸線を中心にして前記偏光子又は前記検光子を回転移動させることを特徴とする請求項１に記載の偏光顕微鏡。
【請求項３】
前記回転軸線が、前記偏光子又は前記検光子の重心を通ることを特徴とする請求項２に記載の偏光顕微鏡。
【請求項４】
前記偏光子又は前記検光子は、前記回転軸線を中心として９０°以上かつ３６０°未満の回転角で回転することにより、前記直交状態、前記平行状態及び前記退避状態の間で遷移することを特徴とする請求項２又は３に記載の偏光顕微鏡。
【請求項５】
前記偏光子又は前記検光子は、円板の一部に切欠きを有する形状であり、前記切欠きが光路上に位置しているときに前記退避状態となることを特徴とする請求項２〜４のいずれか一項に記載の偏光顕微鏡。
【請求項６】
前記光源は、試料に向けて可視光を照射する可視光源と、試料に向けて赤外光を照射する赤外光源とを含み、
前記偏光子及び前記検光子は、前記可視光源から照射される可視光の光路上に配置されることを特徴とする請求項１〜５のいずれか一項に記載の偏光顕微鏡。
【請求項７】
前記光源は、試料に向けて可視光を照射する可視光源と、試料に向けて赤外光を照射する赤外光源とを含み、
前記偏光子及び前記検光子は、前記赤外光源から照射される赤外光の光路上に配置されることを特徴とする請求項１〜５のいずれか一項に記載の偏光顕微鏡。
【発明の詳細な説明】
【技術分野】
【０００１】
本発明は、偏光子及び検光子を備えた偏光顕微鏡に関するものである。
【背景技術】
【０００２】
試料表面を観察するための光学顕微鏡の中には、偏光子及び検光子が設けられることにより偏光顕微鏡として機能するものがある（例えば、下記特許文献１参照）。偏光顕微鏡では、可視光源から照射される可視光が偏光子に入射し、偏光子を透過することにより直線偏光が生成される。そして、偏光子を透過した直線偏光が試料に照射され、試料からの光（透過光又は反射光）が検光子を透過してカメラに入射する。
【０００３】
偏光顕微鏡は、検光子を回転させる回転機構と、検光子及び回転機構をスライドさせるスライド機構とを備えている。検光子は、回転機構により回転されることで、偏光子に対する相対的な角度が変化する。これにより、試料からの光のうち検光子を透過してカメラに入射する光が変化するため、その変化をカメラで撮影することにより偏光像を観察することができる。
【０００４】
一方、スライド機構により検光子及び回転機構をスライドさせ、検光子を光路上から退避させた場合には、試料からの光が検光子を透過せずにカメラに直接入射する。この場合、試料からの可視光をカメラで撮影することにより光学像を観察することができる。
【先行技術文献】
【特許文献】
【０００５】
【特許文献１】特開２０１２−２１１７７１号公報
【発明の概要】
【発明が解決しようとする課題】
【０００６】
しかしながら、上記のような従来の偏光顕微鏡では、回転機構及びスライド機構の両方を設ける必要がある。したがって、電動の場合には、回転機構及びスライド機構のそれぞれにモータなどの動力源を設けなければならず、手動の場合には、作業者が把持して動作させるための把持部を複数設けなければならない。そのため、構造が複雑になるという問題があった。
【０００７】
本発明は、上記実情に鑑みてなされたものであり、構造が簡略化された偏光顕微鏡を提供することを目的とする。
【課題を解決するための手段】
【０００８】
（１）本発明に係る偏光顕微鏡は、光源と、偏光子と、検光子と、移動機構とを備える。前記光源は、試料に向けて光を照射する。前記偏光子は、前記光源から試料までの光路上に配置され、前記光源からの光を透過させることにより、偏光面が第１の方向に沿った直線偏光を生成する。前記検光子は、試料に照射された後の光の光路上に配置され、偏光面が第２の方向に沿った直線偏光を透過させる。前記移動機構は、前記偏光子及び前記検光子を相対的に移動させることにより、前記第１の方向及び前記第２の方向が直交する直交状態と、前記第１の方向及び前記第２の方向が平行に延びる平行状態と、光路上に前記偏光子又は前記検光子がない退避状態との間で遷移させることができる。
【０００９】
このような構成によれば、偏光子及び検光子を相対的に移動させる１つの移動機構を用いて、直交状態、平行状態及び退避状態の間で遷移させることができる。したがって、直交状態及び平行状態の間で遷移させるための機構と、退避状態に遷移させるための機構とを別々に設ける必要がないため、構造が簡略化された偏光顕微鏡を提供することができる。
【００１０】
（２）前記移動機構は、回転軸線を中心にして前記偏光子又は前記検光子を回転移動させてもよい。
【００１１】
このような構成によれば、偏光子又は検光子の回転角を調整するだけの簡単な機構で、直交状態、平行状態及び退避状態の間で遷移させることができる。
【００１２】
（３）前記回転軸線が、前記偏光子又は前記検光子の重心を通っていてもよい。
【００１３】
このような構成によれば、回転移動される偏光子又は検光子の回転軸線が偏心していないため、偏光子又は検光子が重力で回転することを防止できる。したがって、偏光子又は検光子が重力で回転することを阻止するためのストッパ又はブレーキなどを設ける必要がないため、さらに構造を簡略化することができる。
【００１４】
（４）前記偏光子又は前記検光子は、前記回転軸線を中心として９０°以上かつ３６０°未満の回転角で回転することにより、前記直交状態、前記平行状態及び前記退避状態の間で遷移してもよい。
【００１５】
このような構成によれば、回転軸線を中心として９０°以上かつ３６０°未満の範囲で偏光子又は検光子の回転角を調整するだけで、直交状態、平行状態及び退避状態の間で遷移させることができる。直交状態と平行状態との間は９０°の回転角で遷移させることができるため、それ以上の回転角まで偏光子又は検光子を回転させることにより、退避状態まで遷移させることができる。
【００１６】
（５）前記偏光子又は前記検光子は、円板の一部に切欠きを有する形状であり、前記切欠きが光路上に位置しているときに前記退避状態となってもよい。
【００１７】
このような構成によれば、円板の一部に切欠きを有する形状で偏光子又は検光子を形成するだけの簡単な構成により、その切欠きの部分を用いて退避状態に遷移させることができる。
【００１８】
（６）前記光源は、試料に向けて可視光を照射する可視光源と、試料に向けて赤外光を照射する赤外光源とを含んでいてもよい。この場合、前記偏光子及び前記検光子は、前記可視光源から照射される可視光の光路上に配置されてもよい。
【００１９】
このような構成によれば、赤外顕微鏡における可視光を用いた観察時に、移動機構を用いて偏光子及び検光子を相対的に移動させるだけで、直交状態、平行状態及び退避状態の間で遷移させることができる。
【００２０】
（７）前記偏光子及び前記検光子は、前記赤外光源から照射される赤外光の光路上に配置されてもよい。
【００２１】
このような構成によれば、赤外顕微鏡における赤外光を用いた観察時に、移動機構を用いて偏光子及び検光子を相対的に移動させるだけで、直交状態、平行状態及び退避状態の間で遷移させることができる。
【発明の効果】
【００２２】
本発明によれば、直交状態及び平行状態の間で遷移させるための機構と、退避状態に遷移させるための機構とを別々に設ける必要がないため、構造が簡略化された偏光顕微鏡を提供することができる。
【図面の簡単な説明】
【００２３】
【図１】本発明の一実施形態に係る偏光顕微鏡として機能する赤外顕微鏡の構成例を示した概略図である。
【図２Ａ】検光子を回転させたときの直線偏光の方向の変化について説明するための概略図である。
【図２Ｂ】検光子を回転させたときの直線偏光の方向の変化について説明するための概略図である。
【図２Ｃ】検光子を回転させたときの直線偏光の方向の変化について説明するための概略図である。
【図３Ａ】検光子の具体的構成の一例を示した図である。
【図３Ｂ】検光子の具体的構成の他の例を示した図である。
【発明を実施するための形態】
【００２４】
１．赤外顕微鏡の構成
図１は、本発明の一実施形態に係る偏光顕微鏡として機能する赤外顕微鏡１００の構成例を示した概略図である。この赤外顕微鏡１００は、試料に対して赤外光及び可視光を照射することができる。赤外顕微鏡１００には、試料ステージ１、赤外光源２、可視光源３、検出器４、カメラ５、ビームスプリッタ６及びカセグレン鏡２００などが備えられている。
【００２５】
試料ステージ１には、分析対象となる試料が載置される。試料ステージ１は、例えば水平方向（ＸＹ方向）及び鉛直方向（Ｚ方向）に移動可能な構成となっている。本実施形態では、試料ステージ１を挟んで上方及び下方に１対のカセグレン鏡２００が設置されている。
【００２６】
試料ステージ１に対して上方に設置されたカセグレン鏡２００（上カセグレン鏡２００Ａ）、及び、試料ステージ１に対して下方に設置されたカセグレン鏡２００（下カセグレン鏡２００Ｂ）は、それぞれ同一の構成を有しているが、設置される向きが異なっている。上カセグレン鏡２００Ａ及び下カセグレン鏡２００Ｂは、それぞれの軸線が鉛直方向に延びるように同軸上に配置される。
【００２７】
赤外光源２は、ＦＴＩＲ（フーリエ変換赤外分光光度計）により構成されており、図示しない固定鏡及び移動鏡を用いて、赤外光の干渉波を発生させることができる。赤外光源２から出射した赤外光は、カセグレン鏡２００を介して試料ステージ１上に照射される。反射測定を行う際には、赤外光源２から出射した赤外光が、反射ミラー２１，２２，２３，２４，２５，２６，２７で順次反射した後、上カセグレン鏡２００Ａ内に上方から導入される。
【００２８】
反射ミラー２５は、例えば反射面が放物面からなる放物面鏡により構成されており、平行光として反射ミラー２５に入射した赤外光は、当該反射ミラー２５で反射することにより集光される。反射ミラー２５は、図１に破線で示すように、回転することにより反射面の角度を変更することができる。透過測定を行う際には、反射ミラー２５の角度が変更されることにより、赤外光源２から出射した赤外光が、反射ミラー２１，２２，２３，２４で順次反射した後、反射ミラー２５，２８，２９で順次反射し、下カセグレン鏡２００Ｂ内に下方から導入される。
【００２９】
可視光源３は、試料観察用の可視光（例えば白色）を出射し、カセグレン鏡２００を介して試料ステージ１上に照射される。可視光源３から出射する可視光は、赤外光の光路と大部分が共通する光路を通ってカセグレン鏡２００に導かれる。上記反射ミラー２４は、例えばビームスプリッタにより構成されており、可視光源３から出射した可視光は、当該反射ミラー２４を透過して、赤外光と共通する光路上に導かれる。反射ミラー２４を透過した可視光は、赤外光源２から出射する赤外光と同様に、反射ミラー２５，２６，２７を介して上カセグレン鏡２００Ａ内に上方から導入することもできるし、反射ミラー２５，２８，２９を介して下カセグレン鏡２００Ｂ内に下方から導入することもできる。
【００３０】
カセグレン鏡２００には、例えば主鏡２０１及び副鏡２０２が備えられている。主鏡２０１は、球面状の凹面からなる反射面を有している。一方、副鏡２０２は、球面状の凸面からなる反射面を有している。副鏡２０２の反射面は、主鏡２０１の反射面よりも小径である。主鏡２０１及び副鏡２０２は、それぞれの反射面の中心が同一の軸線上に位置するように取り付けられている。より具体的には、主鏡２０１の反射面に対して、副鏡２０２の反射面が間隔を隔てて対向している。
【００３１】
赤外光及び可視光は、副鏡２０２の反射面で反射した後、主鏡２０１の反射面で反射する。このとき、主鏡２０１の反射面で反射した光は、その一部が副鏡２０２により遮蔽されることとなるが、他の光は副鏡２０２の側方から出射し、測定位置Ｐに集光される。
【００３２】
反射測定が行われる際には、上カセグレン鏡２００Ａ内に導入された赤外光及び可視光が、副鏡２０２及び主鏡２０１で順次反射した後、試料ステージ１上の測定位置Ｐに上方から集光される。測定位置Ｐに載置された試料からの反射光は、上カセグレン鏡２００Ａ内に再び入射し、主鏡２０１及び副鏡２０２で順次反射した後、上カセグレン鏡２００Ａから上方に出射する。
【００３３】
一方、透過測定が行われる際には、下カセグレン鏡２００Ｂ内に導入された赤外光及び可視光が、副鏡２０２及び主鏡２０１で順次反射した後、試料ステージ１上の測定位置Ｐに下方から集光される。そして、測定位置Ｐに載置された試料からの透過光が、上カセグレン鏡２００Ａ内に入射する。上カセグレン鏡２００Ａ内に入射した光は、主鏡２０１及び副鏡２０２で順次反射した後、上カセグレン鏡２００Ａから上方に出射する。
【００３４】
上カセグレン鏡２００Ａから上方に出射した試料からの光（反射光又は透過光）は、ビームスプリッタ６に導かれる。このビームスプリッタ６は、可視光又は赤外光の一方を透過し、他方を反射させる。本実施形態では、ビームスプリッタ６が可視光を透過し、赤外光を反射させるような構成について説明するが、ビームスプリッタ６が赤外光を透過し、可視光を反射させるような構成であってもよい。
【００３５】
試料に照射され、試料で反射又は透過した赤外光は、ビームスプリッタ６で反射した後、反射ミラー３０で反射して検出器４に入射する。これにより、検出器４から検出信号が出力され、当該検出信号に基づいて試料の反射測定又は透過測定を行うことができる。一方、試料に照射され、試料で反射又は透過した可視光は、ビームスプリッタ６を透過した後、反射ミラー３１で反射してカメラ５に入射する。これにより、可視光によって照明された画像をカメラ５で撮像し、その画像を確認することができる。
【００３６】
本実施形態では、可視光源３から照射される可視光の光路上に、偏光子７及び検光子８が配置されている。偏光子７は、可視光源３から試料までの光路上に配置されており、検光子８は、試料に照射された後の可視光の光路上に配置されている。偏光子７及び検光子８は、いずれも可視光のみの光路上に配置されており、赤外光の光路上には位置しないように配置されている。
【００３７】
偏光子７は、可視光源３からの可視光を透過させることにより、偏光面が第１の方向に沿った直線偏光を生成する。すなわち、偏光子７に入射する可視光のうち、第１の方向に沿って振動する光のみが偏光子７を透過し、直線偏光として試料に照射される。偏光子７は、可視光源３からの可視光の光軸に対して直交するように配置されている。試料に照射された直線偏光は、試料で反射又は透過することにより振動方向が不規則となり、その後に検光子８に入射する。
【００３８】
検光子８は、偏光面が第２の方向に沿った直線偏光を透過させる。すなわち、試料からの反射光又は透過光のうち、第２の方向に沿って振動する光のみが検光子８を透過し、直線偏光としてカメラ５に入射する。検光子８は、試料からの反射光又は透過光の光軸に対して直交するように配置されている。
【００３９】
本実施形態では、検光子８が、当該検光子８に対して直交する回転軸線Ａを中心に回転可能に保持されている。回転軸線Ａは、検光子８に入射する試料からの反射光又は透過光の光軸に対して平行に延びている。検光子８は、例えばモータなどの駆動源を含む回転機構（移動機構）９により、回転軸線Ａを中心に回転駆動される。
【００４０】
回転機構９を用いて回転軸線Ａを中心に検光子８を回転させることにより、偏光子７に対する検光子８の相対的な回転角を変化させ、カメラ５に入射する試料からの反射光又は透過光を変化させることができる。このようにしてカメラ５で撮像される画像を変化させることにより、試料の偏光特性を観察することができる。
【００４１】
２．検光子の回転移動
図２Ａ〜図２Ｃは、検光子８を回転させたときの直線偏光の方向の変化について説明するための概略図である。本実施形態では、検光子８は、円板８１の一部に切欠き８２を有する形状で形成されている。検光子８の回転軸線Ａは、例えば円板８１の中心に位置しており、当該回転軸線Ａを中心とする一定の角度範囲θの部分に切欠き８２が形成されている。
【００４２】
この例では、上記角度範囲θが９０°となっているが、これに限られるものではない。上記角度範囲θは、１８０°未満であることが好ましく、９０°以上かつ１８０°未満であればより好ましい。すなわち、切欠き８２を除く検光子８の部分は、回転軸線Ａを中心として１８０°以上かつ３６０°未満であることが好ましく、１８０°以上かつ２７０°未満であればより好ましい。
【００４３】
測定位置Ｐに試料が載置されていない状態では、検光子８に入射する光Ｌは、第１の方向Ｄ１に沿った直線偏光となる。光Ｌの通過位置は、回転軸線Ａを中心に回転する検光子８（円板８１）の軌道上に位置するとともに、切欠き８２の軌道上にも位置している。したがって、回転軸線Ａを中心に検光子８を回転させることにより、検光子８を透過する光の振動方向である第２の方向Ｄ２を第１の方向Ｄ１に対して相対的に変化させることができるとともに、光Ｌが切欠き８２を通過する状態とすることもできる。
【００４４】
図２Ａの状態は、第１の方向Ｄ１と第２の方向Ｄ２とが直交する直交状態である。この状態はクロスニコルと呼ばれており、第１の方向Ｄ１に沿った直線偏光である光Ｌは、検光子８を透過することができない。一方、図２Ｂの状態は、第１の方向Ｄ１と第２の方向Ｄ２とが平行に延びる平行状態である。この状態では、第１の方向Ｄ１に沿った直線偏光である光Ｌは、そのまま検光子８を透過することができる。
【００４５】
図２Ｃの状態は、光Ｌの光路上に検光子８がない退避状態である。この状態はオープンニコルと呼ばれており、光Ｌの光路上に切欠き８２が位置している。したがって、第１の方向Ｄ１に沿った直線偏光である光Ｌは、検光子８を透過することなく切欠き８２を通過することとなる。
【００４６】
このように、本実施形態では、回転軸線Ａを中心にして検光子８を回転移動させることにより、直交状態、平行状態及び退避状態の間で遷移させることができる。この例では、図２Ａの直交状態から検光子８を時計回りに９０°回転させることにより、第１の方向Ｄ１と第２の方向Ｄ２との角度を連続的に変化させ、図２Ｂの平行状態に遷移させることができる。また、図２Ｂの状態から検光子８を時計回りにさらに１８０°回転させることにより、図２Ｃの退避状態に遷移させることができる。
【００４７】
すなわち、本実施形態では、回転軸線Ｌを中心として２７０°の回転角で検光子８を回転させることにより、直交状態、平行状態及び退避状態の間で遷移させることができる。ただし、上記回転角は２７０°に限られるものではなく、直交状態、平行状態及び退避状態の間で遷移させることができるような任意の回転角とすることができる。この場合、上記回転角は、９０°以上かつ３６０°未満であることが好ましく、１８０°以上かつ２７０°以下であることがより好ましい。
【００４８】
３．検光子の具体的構成例
図３Ａは、検光子８の具体的構成の一例を示した図である。この例では、円板８１に対して９０°の角度範囲で切欠き８２が形成されることにより検光子８が構成されている。検光子８は、第２の方向Ｄ２に沿った直線偏光を透過させる本体８３と、本体８３の外周を保持する保持部８４と備えている。
【００４９】
保持部８４は、中空の円形状に形成された外枠８４１と、切欠き８２に沿って形成されたリブ８４２とが一体的に形成された構成を有している。保持部８４は、例えば樹脂又は金属などにより形成されている。保持部８４は、フィルム状の本体８３よりも厚みが大きい部材であり、単位面積当たりの重さが本体８３よりも重い。そのため、検光子８の重心は円板８１の中心からずれており、本実施形態では、回転軸線Ａが検光子８の重心を通るように配置されている。
【００５０】
図３Ｂは、検光子８の具体的構成の他の例を示した図である。この例では、円板８１に対して１８０°の角度範囲で切欠き８２が形成されることにより半円板状の検光子８が構成されている。検光子８は、第２の方向Ｄ２に沿った直線偏光を透過させる本体８５と、本体８５の外周を保持する保持部８６と備えている。
【００５１】
保持部８６は、中空の半円形状に形成されている。保持部８６は、例えば樹脂又は金属などにより形成されている。保持部８６は、フィルム状の本体８５よりも厚みが大きい部材であり、単位面積当たりの重さが本体８５よりも重い。そのため、検光子８の重心は円板８１の中心からずれており、本実施形態では、回転軸線Ａが検光子８の重心を通るように配置されている。
【００５２】
４．作用効果
（１）本実施形態では、偏光子７及び検光子８を相対的に移動させる１つの移動機構（回転機構９）を用いて、図２Ａ〜図２Ｃに示すように、直交状態、平行状態及び退避状態の間で遷移させることができる。したがって、直交状態及び平行状態の間で遷移させるための機構と、退避状態に遷移させるための機構とを別々に設ける必要がないため、構造が簡略化された赤外顕微鏡１００を提供することができる。
【００５３】
（２）特に、移動機構が、回転軸線Ａを中心にして検光子８を回転移動させる回転機構９により構成されているため、検光子８の回転角を調整するだけの簡単な機構で、直交状態、平行状態及び退避状態の間で遷移させることができる。
【００５４】
（３）また、図３Ａ又は図３Ｂに例示されるように、回転軸線Ａが検光子８の重心を通っているような構成であれば、回転移動される検光子８の回転軸線Ａが偏心していないため、検光子８が重力で回転することを防止できる。したがって、検光子８が重力で回転することを阻止するためのストッパ又はブレーキなどを設ける必要がないため、さらに構造を簡略化することができる。このような効果は、回転軸線Ａが鉛直方向に対して交差する方向（例えば水平方向）に延びている場合に特に顕著となる。
【００５５】
（４）また、本実施形態では、回転軸線Ａを中心として９０°以上かつ３６０°未満の範囲（例えば２７０°）で検光子８の回転角を調整するだけで、直交状態、平行状態及び退避状態の間で遷移させることができる。直交状態と平行状態との間は９０°の回転角で遷移させることができるため、それ以上の回転角まで検光子８を回転させることにより、退避状態まで遷移させることができる。
【００５６】
（５）さらに、本実施形態では、図３Ａ又は図３Ｂに例示されるように、円板８１の一部に切欠き８２を有する形状で検光子８を形成するだけの簡単な構成により、その切欠き８２の部分を用いて退避状態に遷移させることができる。
【００５７】
５．変形例
（１）上記実施形態では、検光子８が可視光源３から照射される可視光の光路上に配置された構成について説明した。この場合、赤外顕微鏡１００における可視光を用いた観察時に、移動機構（回転機構９）を用いて偏光子７及び検光子８を相対的に移動させるだけで、直交状態、平行状態及び退避状態の間で遷移させることができる。
【００５８】
しかし、このような構成に限らず、検光子８が赤外光源２から照射される赤外光の光路上に配置された構成であってもよい。この場合、赤外顕微鏡１００における赤外光を用いた観察時に、移動機構を用いて偏光子及び検光子を相対的に移動させるだけで、直交状態、平行状態及び退避状態の間で遷移させることができる。
【００５９】
（２）上記実施形態では、回転軸線Ａを中心にして検光子８を回転移動させるような構成について説明した。しかし、このような構成に限らず、偏光子７に直交する回転軸線を中心にして、偏光子７を回転移動させるような構成であってもよい。また、偏光子７及び検光子８を相対的に移動させるような構成であれば、偏光子７及び検光子８の両方を回転移動させるような構成であってもよいし、偏光子７及び検光子８の少なくとも一方をスライドなどの回転以外の態様で移動させるような構成であってもよい。
【００６０】
（３）偏光子７又は検光子８を直交状態、平行状態及び退避状態の間で遷移させる移動機構は、回転機構９のようにモータなどの駆動源を含む構成に限らず、手動式のものであってもよい。この場合、作業者が把持して偏光子７又は検光子８を移動させるためのレバーが移動機構に設けられていてもよい。
【００６１】
（４）以上の実施形態では、本発明が赤外顕微鏡１００に適用される場合について説明した。しかし、本発明は、赤外顕微鏡１００に限らず、赤外光源２を備えていない偏光顕微鏡にも適用可能である。
【符号の説明】
【００６２】
１      試料ステージ
２      赤外光源
３      可視光源
４      検出器
５      カメラ
６      ビームスプリッタ
７      偏光子
８      検光子
９      回転機構
８１    円板
８２    切欠き
８３    本体
８４    保持部
８５    本体
８６    保持部
１００  赤外顕微鏡
【図１】
2019219681.tif 000003
【図２Ａ】
2019219681.tif 000004
【図２Ｂ】
2019219681.tif 000005
【図２Ｃ】
2019219681.tif 000006
【図３Ａ】
2019219681.tif 000007
【図３Ｂ】
2019219681.tif 000008